(57)【要約】      （修正有）【課題】物品やサービス等を購入して、しばらく時間が経過した後に、物品やサービス等の購入者（買い入れ側）へ購入時とは関係なく更なる特典を提供者（売り手側）から付与する。【解決手段】物品やサービス等の提供者（売り手側）は、物品やサービス等の販売の後においても、物品やサービス等の購入者（買い入れ側）に端末を使って行う特典（ポイント、マイル、スタンプ等と色々な呼び名で呼ばれる場合がある）を与えることで、物品やサービス等の購入者（買い入れ側）の更なる購買の意欲を喚起する。また売り出し直後の値下がり前の価格で物品やサービス等を購入しても、購入後に、その物品やサービス等の価格が下がった場合に、その下がった差額に対応した値引的な特典（ポイント、マイル、スタンプ等と色々な呼び名で呼ばれる場合がある）を値下げ前に物品やサービス等を購入した購入者（買い入れ側）に付与する。【選択図】図１
2014203445.tif 000002
【特許請求の範囲】
【請求項１】
物品やサービス等の提供者（売り手側）は、物品やサービス等の購入者（買い入れ側）の物品やサービス等の購入後においても、物品やサービス等の購入者（買い入れ側）へ特典（ポイント、マイル、スタンプ等と色々な呼び名で呼ばれる場合がある）を与える事を特徴とする
【請求項２】
物品やサービス等の提供者（売り手側）から、物品やサービス等の購入者（買い入れ側）の物品やサービス等の購入時に与えた特典（ポイント、マイル、スタンプ等と色々な呼び名で呼ばれる場合がある）の価値を購入後においても、その特典（ポイント、マイル、スタンプ等と色々な呼び名で呼ばれる場合がある）の価値の変更（特典の数×Ｘ円のＸを後付でＸ円より高額なＹ円に変える）をする事を特徴とする
【発明の詳細な説明】
【技術分野】
【０００１】本発明は電子商取引に関するものである
【背景技術】従来、物品やサービス等を売ろうとする時に、値引をするといった直接的な売り上げ向上のための特典を与える場合もある。【０００】物品やサービス等の購入者（買い入れ側）が物品やサービス等の購入の時点、支払いの時点に与えられる特典（ポイント、マイル、スタンプ等と色々な呼び名で呼ばれる場合がある）をアナログ的なカード等に記録して売り上げ向上のため特典を与える場合もある。【０００】物品やサービス等の購入者（買い入れ側）が物品やサービス等の購入の時点や支払いの時点に与えられる特典（ポイント、マイル、スタンプ等と色々な呼び名で呼ばれる場合がある）を電子的に記録するカードや端末を使って与えられる売り上げ向上のため特典の場合もある。
【発明の概要】
【発明が解決しようとする課題】
【０００１】先に物品やサービス等を購入した購入者の購入の価格と後に物品やサービス等を購入した購入者の値引きされた購入の価格との間に大きな価格差が応じて、先に物品やサービス等を購入した購入者（買い入れ側）はそれなりの損失を受ける場合がある。【０００２】物品やサービス等の購入者（買い入れ側）が物品やサービス等の購入後、何日か経過した後で、物品やサービス等の提供者（売り手側）から値引の返金や特典の追加付与などという特典（ポイント、マイル、スタンプ等と色々な呼び名で呼ばれる場合がある）を与えられて更なる購買意欲を喚起される事はなかった。【０００３】勿論、特典（ポイント、マイル、スタンプ等と色々な呼び名で呼ばれる場合がある）が与えられた後、何日も経過した後で、その特典の価値を上げる変更などを物品やサービス等の購入者（買い入れ側）が受けて更なる購買意欲を喚起される事はなかった。
【課題を解決するための手段】
【０００４】請求項１の物品やサービス等の提供者（売り手側）は、物品やサービス等の販売後においても、物品やサービス等の購入者（買い入れ側）へ特典（ポイント、マイル、スタンプ等と色々な呼び名で呼ばれる場合がある）を付加する【０００５】請求項２の物品やサービス等の提供者（売り手側）から物品やサービス等の購入者（買い入れ側）に付与した特典（ポイント、マイル、スタンプ等と色々な呼び名で呼ばれる場合がある）の価値を購入後においても特典の（ポイント、マイル、スタンプ等と色々な呼び名で呼ばれる場合がある）価値の変更（特典の数×Ｘ円のＸを後付でＸ円より高額なＹ円に変える）をする
【発明の効果】
【０００６】請求項１の物品やサービス等の提供者（売り手側）は、物品やサービス等の販売後においても、物品やサービス等の購入者（買い入れ側）に、特典（ポイント、マイル、スタンプ等と色々な呼び名で呼ばれる場合がある）を与えることで、物品やサービス等の購入者（買い入れ側）に更なる購買の意欲を喚起することができる。【０００７】また、その物品やサービス等の販売の価格が値下がりした場合、値下がり前に物品やサービス等の購入をした購入者（買い手側）に対して、この考案の方法で、その差額に対応をする値引き的な特典（ポイント、マイル、スタンプ等と色々な呼び名で呼ばれる場合がある）を端末を使って与えることができると、先に物品やサービス等を購入する購入者（買い手側）は価格の変化を気にしないで、その物品やサービス等を早い時期に購入するようになり、結果その物品やサービス等のメリットをより早く甘受できるようになります。【０００８】請求項２の物品やサービス等の提供者（売り手側）から物品やサービス等の購入をした購入者（買い入れ側）に与えられた特典（ポイント、マイル、スタンプ等と色々な呼び名で呼ばれる場合がある）の価値の変更（特典の数×Ｘ円のＸを後付でＸ円より高額なＹ円に変える）をする事で、物品やサービス等の購入者（買い入れ側）に更なる購買の意欲を喚起することができる。【０００９】また、その物品やサービス等の販売価格が値下がりした場合に、その差額に対応をする値引き的な特典（ポイント、マイル、スタンプ等と色々な呼び名で呼ばれる場合がある）の価値の変更（その数×Ｘ円のＸを後付でＸ円より高額なＹ円に変える）を値下がり前に物品やサービス等を購入した購入者（買い入れ側）に与えた特典（ポイント、マイル、スタンプ等と色々な呼び名で呼ばれる場合がある）で出来るようになると、先に物品やサービス等を購入した購入者（買い入れ側）は価格の変化を気にしないで、その物品やサービス等を早い時期に購入するようになり、結果その物品やサービス等のメリットをより早く甘受できるようになります。
【図面の簡単な説明】
【００１０】
【図１】本発明の仕組みを示したチャート図である。
【発明を実施するための形態】
【００１１】物品やサービス等の提供者（売り手側）は、端末を使って行った物品やサービス等の購入者（買い入れ側）の購入情報（購入商品、購入時期、価格、個数など）をデータベースに蓄積をする。
【００１２】同じく物品やサービス等の提供者（売り手側）は、端末を使って決済をした物品やサービス等の購入者（買い入れ側）の購入情報（購入商品、購入時期、価格、個数など）をデータベースに記録する。
【００１３】物品やサービス等の提供者（売り手側）はデータベースに蓄積された購買履歴を基準にして、提供者（売り手側）は端末を使ってインターネットを介して特典を購入者（買い入れ側）の特典を付与できる口座に、特典を付与できる仕組みを用意をしておく。
【００１４】物品やサービス等の購入者（買い入れ側）は、物品やサービス等の購入時か決済時、またはサービスの提供の契約時、サービスの料金の決済時、サービスの料金の決済後等に、提供者（売り手側）から端末を使って、インターネットを介して特典の付与を受ける事のできる口座を物品やサービス等の購入者（買い入れ側）は用意をしておく。
【実施例】提供者（売り手側）は更なる売り上げの向上のためにデーターベースに蓄積された物品やサービス等の購入者（買い入れ側）の購買履歴の情報を使って営業の戦略上の特典の付与をする事にした。【００１５】物品やサービス等を購入してしばらく時間が経過したある時、物品やサービス等の購入者（買い入れ側）へ購入時とは関係なく更なる特典が提供者（売り手側）からインターネットを介して購入者（買い入れ側）の特典を付与できる口座へ与えられました。この思いがけない特典の付与によって物品やサービス等の購入者（買い入れ側）は更なる購入に触手を伸ばすことになりこの考案は売り上げの向上に貢献します。【００１６】本来物品やサービス等を購入した購入者（買い入れ側）は、売り出した新しい物品やサービス等をいち早く使いたい、利用したいのが本心です。しかし物品やサービス等の販売の価格は、売り始めは高く、あとの方が安くなる傾向にあります。そこで物品やサービス等を購入しようとする購入者（買い入れ側）は売り出し直後の物品やサービス等の購入に躊躇しました。【００１７】しかしいま売り出し直後の値下がり前の価格で物品やサービス等を購入しても、購入後に、その物品やサービス等の価格が下がった場合に、その下がった差額と同じ額でなくとも、それなりの値引的な特典（ポイント、マイル、スタンプ等と色々な呼び名で呼ばれる場合がある）を【００１８】値下げ前に物品やサービス等を購入した購入者（買い入れ側）の購入情報をデータベースの購入履歴で読みとり、【００１９】その情報を機械的に判断をして、値下がり額に対応をした値引的な特典（ポイント、マイル、スタンプ等と色々な呼び名で呼ばれる場合がある）が、値下げ前に物品やサービス等を購入した購入者（買い入れ側）の特典を付与できる口座へ与えられます。【００２０】それゆえに販売価格の高い時であっても物品やサービス等を購入したい購入者（買い入れ側）は躊躇なく物品やサービス等を購入する事が出来るようになり、物品やサービスのメリットをより早く甘受できるようになります。この考案で購入者（買い入れ側）は早い時期に購入をする様になります。
【産業上の利用可能性】
【００２１】こういったサービスがあれば、値下がりを待っなどと云う必要がなくなって購入者（買い入れ側）は価格の変化を気にしないで、安心して、新しい物品やサービス等を求められるようになり、購入者（買い入れ側）は物品やサービスのメリットをより早く甘受できるようになる【００２２】その上で販売側（売り手側）は、大きな値下げをしないでも販売することが出来るようになると考えられます。
【図１】
2014203445.tif 000003